(57)【要約】      （修正有）【課題】簡単な構成で、作業中道路上の一般車両の走行を阻害することなく、少人数の作業員で効率良く、且つ安全に防雪パネルの昇降が可能な防雪パネル昇降装置と昇降方法を提供することを目的とする。【解決手段】防雪柵の防雪パネル昇降装置１において、２本の防雪柵支柱間１２，１２に着脱自在に取付けられる防雪パネル２２を昇降する装置であって、前記昇降装置１は、防雪柵支柱１２前面に着脱自在に取付け可能な柱材２を有し、前記柱材２には、支柱１２前面に着脱自在に取付けるための係合部材４，５，６と柱材２上端に固定される滑車３と、前記滑車３に掛け渡されるワイヤーロープ８とを備えることを特徴とする。【選択図】図３
2005127004.tif 000002
【特許請求の範囲】
【請求項１】
２本の防雪柵支柱間に着脱自在に取付けられる防雪パネルを昇降する装置であって、前記昇降装置は、防雪柵支柱前面に着脱自在に取付け可能な柱材を有し、前記柱材には、防雪柵支柱前面に着脱自在に取付けるための係合部材と柱材上端に固定される滑車と、前記滑車に掛け渡されるワイヤーロープとを備えることを特徴とする防雪柵の防雪パネル昇降装置。
【請求項２】
滑車が柱材の上端部と柱材の裏面側に取付けられることを特徴とする請求項１に記載の防雪柵の防雪パネル昇降装置。
【請求項３】
柱材の前面側にワイヤーロープ巻取り又は巻戻し用のウィンチを取付けたことを特徴とする請求項１又は２に記載の防雪柵の防雪パネル昇降装置。
【請求項４】
柱材の上下方向に複数の足掛け部材を固定することを特徴とする請求項１〜３のいずれか１項に記載の防雪柵の防雪パネル昇降装置。
【請求項５】
前記柱材の防雪柵支柱前面への係合部材が、防雪柵支柱上端に係止可能な柱材裏面側上部に設けられる上部係合具と、防雪柵支柱下部に係止可能な柱材裏面側下部に設けられる下部係合具及び防雪柵支柱下部に係止可能な柱材下端に設けられる下端係合具により構成されることを特徴とする請求項１〜４のいずれか１項に記載の防雪柵の防雪パネル昇降装置。
【請求項６】
防雪柵取付け又は取外し時に、請求項１〜５のいずれかの防雪パネル昇降装置を隣合う２本の防雪柵支柱に係合し、ワイヤーロープを防雪パネルと係止した後、該ワイヤーロープをウィンチにより巻上げ又は巻戻して、防雪パネルを昇降させ、防雪パネルを防雪柵支柱に係合又は離脱させ、同様に次段の防雪柵パネルを昇降し、防雪柵の防雪パネルを順々に取付け又は取外し、防雪パネルの取付け又は取外し作業が終了後、前記防雪パネル昇降装置を防雪柵支柱から取外すことを特徴とする防雪柵の防雪パネル昇降方法。
【発明の詳細な説明】
【技術分野】
【０００１】
本発明は、積雪地方の道路又は鉄道に沿って設置される防雪柵の防雪パネルを取付け取外す際に使用する防雪パネル昇降装置と昇降方法に関する。
【背景技術】
【０００２】
積雪地方の道路又は鉄道に沿って設置される防雪柵の防雪パネルは、積雪時にのみ設置され、それ以外の時期には運転時に周囲の風景に対する視野の阻害とならないように取外される。防雪柵の防雪パネル一枚の重量は約６０ｋｇ程度であり、防雪パネルの取付け取外し時の作業員の高所での作業の効率性や作業の安全性に問題があり、これらの問題を解決するために何らかの防雪パネル昇降装置が用いられる。
従来の防雪柵の防雪パネルの昇降装置として、実用新案登録第３０９０２０５号公報（以下、「従来例１」という。）には、パネル両側に立てられた柱の間に防雪板のようなパネル類をワイヤーロープで吊上げるに当たり、パネルの両端上部に小型の動滑車を取付け、その２つの動滑車にワイヤーロープを差し渡し、左右の動滑車を介してワイヤーロープはそれぞれ上方に向かうようにし、片一方のロープの端は一方の側の柱上端部に固定され、他方は他方の側の柱の上部に設置された定滑車を介して下方に向かわせ、巻き上げ機に巻き付けられており、手動あるいは駆動装置により巻上げたり、あるいは緩めて、パネルを上げ下げできるようにしてあるパネル昇降装置が開示されている。
また、特許第２９０９４００号公報（以下、「従来例２」という。）には、防雪柵の防雪パネルを道路上を走行するクレーン車のクレーンにより吊上げ吊降ろす防雪パネルの昇降装置が開示されている。
【特許文献１】実用新案登録第３０９０２０５号公報
【特許文献２】特許第２９０９４００号公報
【発明の開示】
【発明が解決しようとする課題】
【０００３】
しかしながら、従来例１の防雪パネル昇降装置においては、滑車等の機械要素が常時稼動しない状態で野晒しとなっているため、積雪期に防雪柵を設置する際、防雪パネルの上げ下ろしの作業が機械的要素の錆付き等によってこれらの昇降装置が機能しない場合が多く、手動ウィンチの負荷が大きくなって能率よく作業が行えないという問題があった。
また、従来例２の防雪パネル昇降装置においては、防雪パネルの昇降作業の際、道路上を防雪パネル昇降用のクレーンを備えた作業車が走行するため、作業期間に一般車両が走行できないという問題が発生する。
【０００４】
本発明は、前記従来技術の持つ課題を解決する、簡単な構成で、作業中道路上の一般車両の走行を阻害することなく、少人数の作業員で効率良く、且つ安全に防雪パネルの昇降が可能な防雪パネル昇降装置と昇降方法を提供することを目的とする。
【課題を解決するための手段】
【０００５】
本第１発明は、前記課題を解決するために、防雪柵の防雪パネル昇降装置において、２本の防雪柵支柱間に着脱自在に取付けられる防雪パネルを昇降する装置であって、前記昇降装置は、防雪柵支柱前面に着脱自在に取付け可能な柱材を有し、前記柱材には、防雪柵支柱前面に着脱自在に取付けるための係合部材と柱材上端に固定される滑車と、前記滑車に掛け渡されるワイヤーロープとを備えることを特徴とする。
【０００６】
本第２発明は、本第１発明の防雪柵の防雪パネル昇降装置において、滑車が柱材の上端部と柱材の裏面側に取付けられることを特徴とする。
【０００７】
本第３発明は、本第１又は第２発明の防雪柵の防雪パネル昇降装置において、柱材の前面側にワイヤーロープ巻上げ巻降ろし用のウィンチを取付けたことを特徴とする。
【０００８】
本第４発明は、本第１〜第３のいずれか１つの発明の防雪柵の防雪パネル昇降装置において、柱材の上下方向に複数の足掛け部材を固定することを特徴とする。
【０００９】
本第５発明は、本第１〜第４発明のいずれか１つの発明の防雪柵の防雪パネル昇降装置において、前記柱材の防雪柵支柱前面への係合部材が、防雪柵支柱上端に係止可能な柱材裏面側上部に設けられる上部係合具と、防雪柵支柱下部に係止可能な柱材裏面側下部に設けられる下部係合具及び防雪柵支柱下部に係止可能な柱材下端に設けられる下端係合具により構成されることを特徴とする。
【００１０】
本第６発明は、防雪柵の防雪パネル昇降方法において、防雪柵取付け又は取外し時に、本第１〜５のいずれかの発明の防雪柵の防雪パネル昇降装置を隣合う２本の防雪柵支柱に係合し、ワイヤーロープを最上段となる防雪パネルと係止した後、該ワイヤーロープをウィンチにより巻上げ又は巻戻して、防雪パネルを昇降させ、防雪パネルを防雪柵支柱に係合又は離脱させ、同様に次段の防雪柵パネルを昇降し、防雪柵の防雪パネルを順々に取付け又は取外し、防雪パネルの取付け又は取外し作業が終了後、前記防雪パネル昇降装置を防雪柵支柱から取外すことを特徴とする。
【発明の効果】
【００１１】
本発明の防雪柵の防雪パネル昇降装置は、防雪柵の取付け時と取外し時にのみ防雪柵支柱に取付けられるので、防雪パネル昇降装置の滑車等の機械要素が野晒し状態で錆付くことがない。又、作業の際、防雪パネル昇降装置は、防雪柵支柱に取付けられるので、防雪パネル昇降装置が道路を占拠することなく一般車両の走行の邪魔にならない。
本発明の防雪パネル昇降装置は、滑車が柱材の上端部と柱材の裏面側に取付けられるので、防雪パネルを安定した状態で吊上げ吊降ろすことが可能となる。
本発明の防雪パネル昇降装置は、柱材の前面側にワイヤーロープ巻上げ巻降ろし用のウィンチを取付けるので、ワイヤーロープが柱材の前面側から柱材の上端部の滑車と柱材の裏面側の滑車に掛け渡され防雪パネルを吊上げ吊降ろすので、防雪パネル取付け取外し作業が安全に容易に行うことができる。
本発明の防雪パネル昇降装置は、柱材の上下方向に複数の足掛け部材を固定するので、防雪柵支柱の上部での防雪パネルの取付け取外し作業を容易に行うことができる。
本発明の防雪パネル昇降装置は、柱材の防雪柵支柱前面への係合部材が、防雪柵支柱上端に係止可能な柱材裏面側上端に設けられる上部係合具と、防雪柵支柱下部に係止可能な柱材裏面側下部に設けられる下部係合具及び防雪柵支柱下部に係止可能な柱材下端に設けられる下端係合具とで構成されるので、防雪パネル昇降装置の防雪柵支柱への取付け取外し作業が容易で、且つ安定した状態で防雪パネル昇降装置が防雪柵支柱に固定されるので防雪パネルの取付け取外し作業が安全に行える。
本発明の防雪パネル昇降方法は、防雪柵取付け又は取外し時に、本第１〜５のいずれかの発明の防雪パネル昇降装置を隣合う２本の防雪柵支柱に着脱自在に係合し、ワイヤーロープを最上段となる防雪パネルと係止した後、該ワイヤーロープを巻上げ又は巻降ろして、防雪柵支柱に対して係合又は離脱させ、同様に次段の防雪柵パネルを巻上げ又は巻降ろして、防雪柵の防雪パネルを順々に取付け又は取外し、防雪パネルの取付け又は取外し作業が終了後、前記防雪パネル昇降装置を防雪柵支柱から取外すので、作業時間の短縮と作業の安全性が確保される防雪パネル昇降方法とすることができる。
【発明を実施するための最良の形態】
【００１２】
（実施例１）
本発明の実施形態を図により説明する。図１（ａ）（ｂ）は、本発明の防雪柵の防雪パネル昇降装置１の第１実施例の正面図と側面図を示すものである。防雪柵の防雪パネル昇降装置１は、金属製の柱材２を有し、柱材２の上端に第１滑車３が取付けられる。柱材２の裏面側上部には、防雪柵支柱の上端に着脱自在に係合する上部係合具４が取付けられ、柱材２の下部裏面側には、防雪柵支柱の下部に着脱自在に係合する下部係合具５が取付けられ、柱材２の下端には、防雪柵支柱の下部に着脱自在に係合する下端係合具６が取付けられる。又、柱材２の側面には、必要に応じて、複数の足掛け部材７を取付けてもよい。足掛け部材７を柱材に取付けない場合には、防雪柵支柱に着脱自在な足掛け部材を取付ければよい。柱材２の下部前面側には、上部滑車３に掛け渡されるワイヤーロープ８を巻取り又は巻戻すウィンチ９を取付ける。ウィンチ９は手動であっても動力駆動であってもよい。ワイヤーロープ８の先端に防雪パネルとの係合用フックを着脱材材に取付ける。
【００１３】
（実施例２）
図２（ａ）（ｂ）は、本発明の防雪柵の防雪パネル昇降装置１の第２実施例の正面図と側面図を示すものである。第１実施例と第２実施例の相違は、柱材２の裏面側上部に水平に延びる滑車支持部材１０を介して第２滑車１１を取付ける点である。柱材２の上端に取付けられる第１滑車３と滑車支持部材１０に取付けられる第２滑車１１により、ウィンチ９から第１滑車、第２滑車１１にワイヤーロープ８を掛け渡すことにより、防雪パネルの吊上げ又は吊降ろし作業が安定した状態で実施可能となる。他の構成は第１実施例と同様である。
【００１４】
図３（ａ）（ｂ）は、本発明の第２実施例の防雪柵の防雪パネル昇降装置１を、２本の防雪柵支柱１２、１２の前面に着脱自在に取付けた状態を示す正面図と側面図である。防雪柵支柱１２は、断面Ｈ形の金属製材料で形成され、前フランジ部１３（図４参照）が道路側に向くように道路等に沿って立設される。防雪柵支柱１２には、その両側には、防雪パネル取付け用のU字形ブラケット１４が所定間隔をおいて複数取付けられる。防雪柵支柱１２は、防雪柵を必要としない時期に縮小状態とするために、テレスコープ式又は折り畳み式にしてもよい。
【００１５】
防雪パネル昇降装置１の防雪柵支柱１２への着脱自在の係合について図により説明する。図４（a）（ｂ）は、柱材２の上部に取付けられる上部係合具４の防雪柵支柱１２への係合状態を示すものである。上部係合具４は、柱材２の裏面側上部に横方向に水平に延びるフック支持部材１５にフック１６が溶接等の手段により固定されて構成される。フック１６が防雪柵支柱１２の上端の前フランジ部１３に係合する。
【００１６】
図５は、柱材２の下端に取付けられる下端係合具６と防雪柵支柱１２との係合状態を示すものである。下端係合具６は、柱材２の下端に取付けられるＵ字形部材１７により構成される。Ｕ字形部材１７の巾は、防雪柵支柱１２の前フランジ部１３の巾より若干大きくされ、Ｕ字形部材で防雪柵支柱１２の前フランジ部１３の両端を挟み込むように係合し、柱材２の横方向の動きを阻止する。
【００１７】
図６（ａ）（ｂ）は、柱材２の下部に取付けられる下部係合具５と防雪柵支柱１２との係合状態を示すものである。下部係合具５は、柱材２の側面に固定され裏面側に水平方向に延びる下部係合具支持部材１８と、下部係合具支持部材１８に垂直回動軸１９により回動する係合ブロック２０と、係合ブロック２０を防雪柵支柱１２の前フランジ部１３の裏面側に係合状態に保持する固定ピン２１とにより構成される。図６（ｂ）に示されるように、防雪パネル昇降装置１を防雪柵支柱１２に着脱自在に係合する際、下部係合具５の固定ピン２１を外し、係合ブロック２０を垂直回動軸１９を軸として回動させ、防雪柵支柱１２の前フランジ部１３が干渉しない位置に退避させ、その後、係合ブロック２０を回動して前フランジ部１３の裏面側に係合させ、固定ピン２１でその状態を保持する。
防雪パネル昇降装置１の柱材２は、上部係合具４、下部係合具５及び下端係合具６により容易に且つ安定した状態で防雪柵支柱１２に着脱自在に係合される。
【００１８】
上端に固定される幅止材２４により間隔を保持された２本の防雪柵支柱１２，１２間に着脱自在に取付けられる複数の防雪パネル２２は、上下に間隔をあけ、かつ、風の吹き込み側が高くなるように傾斜させて取付けられ、防雪パネル２２の隙間を通る風を斜め下向きの流れに偏向させて道路面に吹き降ろし、吹き降ろした下向き風を吹払い風として、道路面に滞積した雪を吹払い、また、風上から飛んでくる雪を、ドライバーの目線高さ以下に押し下げてドライバーの視野障害を防ぐ機能を有する。防雪パネル２２の両端には、防雪柵支柱１２に取付けたＵ字形ブラケット１４に挿入される下向きの係合部２３が取付けられ、係合部２３の下端に抜け止めピンを挿入することにより、防雪パネル２２を防雪柵支柱１２に着脱自在に取付ける。
【００１９】
防雪パネル昇降装置による防雪パネル２２の防雪柵支柱１２への取付け作業工程を説明する。
（１）防雪パネル昇降装置１の柱材２を２本の防雪柵支柱１２に着脱自在に取付ける。
（２）防雪パネル昇降装置１のワイヤーロープ８の先端にフックを取付け、幅止材２４を吊上げ、幅止材２４の両端を２本の防雪柵支柱１２の上端に着脱自在に固定し２本の防雪柵支柱間の間隔を保持する。
（３）最上段の防雪パネル２２を防雪パネル昇降装置１により吊上げ、その両端係合部２３を防雪柵支柱１２に取付けたＵ字形ブラケット１４に挿入し、係合部２３に抜け止めピンを挿入して固定する。
（４）順々に前記（３）の作業を行い下方に向かって防雪パネル２２を防雪柵支柱１２に取付ける。
（５）最下段の防雪パネル２２の取付けが終了すると、一つの防雪パネル昇降装置１を防雪柵支柱１２から取外し、隣の防雪柵支柱１２に取付け、前記（２）〜（５）の作業を行う。  
【００２０】
防雪パネル昇降装置１による防雪パネル２２の防雪柵支柱１２から取外し作業工程を説明する。
（１）防雪パネル昇降装置１の柱材２を２本の防雪柵支柱１２に着脱自在に取付ける。
（２）最下段の防雪パネル２２と防雪柵支柱１２との係合を解除し、防雪パネル昇降装置１のワイヤーロープ８先端のフックに、係合を解除された最下段の防雪パネルを係合し、最下段の防雪パネル２２を吊り降ろす。
（３）順々に前記（２）の作業を行い上方に向かって防雪パネル２２を防雪柵支柱１２から取外し、防雪パネル昇降装置１により吊り降ろす。
（４）最後に防雪パネル昇降装置１のワイヤーロープ８先端のフックに、防雪柵支柱上端との係合を解除した幅止材２４を係合し、幅止材２４を吊り降ろす。
（５）（４）の作業が終了後、一つの防雪パネル昇降装置１を防雪柵支柱１２から取外し、隣の防雪柵支柱１２に取付け、前記（２）〜（５）の作業を行う。
【００２１】
本発明の防雪パネル昇降装置は、実施例に記載された防雪パネルの形状や、係合構成にのみ適用されるのではなく、高所での取付け作業が必要な防雪パネルに適用可能である。
【図面の簡単な説明】
【００２２】
【図１】（ａ）（ｂ）本発明の防雪パネル昇降装置の実施形態を示す図である。
【図２】（ａ）（ｂ）本発明の防雪パネル昇降装置の実施形態を示す図である。
【図３】（ａ）（ｂ）本発明の防雪パネル昇降装置の実施形態を示す図である。
【図４】（ａ）（ｂ）本発明の防雪パネル昇降装置の実施形態を示す図である。
【図５】本発明の防雪パネル昇降装置の実施形態を示す図である。
【図６】（ａ）（ｂ）本発明の防雪パネル昇降装置の実施形態を示す図である。
【符号の説明】
【００２３】
１    防雪パネル昇降装置
２    柱材
３    第１滑車
４    上部係合具
５    下部係合具
６    下端係合具
７    足掛部材
８    ワイヤーロープ
９    ウィンチ
１０  滑車支持部材
１１  第２滑車
１２  防雪柵支柱
１３  前フランジ部
１４  U字形ブラケット
１５  フック支持部材
１６  フック
１７  Ｕ字形部材
１８  下部係合具支持部材
１９  垂直回転軸
２０  係合ブロック
２１  固定ピン
２２  防雪パネル
２３  係合部
２４  幅止材
【図１】
2005127004.tif 000003
【図２】
2005127004.tif 000004
【図３】
2005127004.tif 000005
【図４】
2005127004.tif 000006
【図５】
2005127004.tif 000007
【図６】
2005127004.tif 000008